(57)【要約】【課題】主としてコンピュータ・ディスプレイのフレームに装着することが可能なスケジュール管理用プレートであって、その上に付箋の貼付が容易なものを提案する。【解決手段】コンピュータ・ディスプレイのフレームへの装着に適した全体として細長い形であり、かつ全体として柔軟な材料で形成されたスケジュール管理用プレートであって、上記フレームの一辺の表面への装着用の細長い基板部２の裏面４を粘着面に、表面６を付箋貼着用のフラット面にそれぞれ形成し、この基板部２の表面６を長手方向に等間隔に区分して、任意の単位時間を表す時間帯表示ゾーン８とした。【選択図】図１
2010036526.tif 000002
【特許請求の範囲】
【請求項１】
コンピュータ・ディスプレイのフレームへの装着に適した全体として細長い形であり、かつ全体として柔軟な材料で形成されたスケジュール管理用プレートであって、
上記フレームの一辺の表面への装着用の細長い基板部２の裏面４を粘着面に、表面６を付箋貼着用のフラット面にそれぞれ形成し、
この基板部２の表面６を長手方向に等間隔に区分して、任意の単位時間を表す時間帯表示ゾーン８としたことを特徴とする、スケジュール管理用プレート。
【請求項２】
上記各時間帯表示ゾーン８を、巾方向に対して基板部２の長手方向に長い長方形状とし、
さらに上記表面の巾方向一側部を、時間表示を記載する表示代ｄ１を、またこの一側部を除く表面部分を、付箋貼付代ｄ２としたことを特徴とする、
請求項１記載のスケジュール管理用プレート。
【請求項３】
全体としてカッターなどの切断具で切断可能な軟材質で形成され、
かつ上記時間帯表示ゾーンの境界を区画する区分線に沿って切断することが可能に形成し，さらに各時間帯表示ゾーンに１〜１２までの任意の一連の数字で表す時間目盛１２を付し、さらにまた基板部２の裏面の粘着面を被着面への着脱自在としたことを特徴とする、
請求項２記載のスケジュール管理用プレート。
【請求項４】
上記基板部２の側辺から、表面を付箋貼着用のフラット面とした補助板部２０を側外方へ突設し、
この補助板部２０の表面を、長手方向に等間隔に区分して、任意の単位時間を表す時間帯表示ゾーン８とした、
ことを特徴とする、請求項２又は請求項３記載のスケジュール管理用プレート。
【請求項５】
請求項１から請求項４のスケジュール管理用プレートへの貼着用として適した予定書き込み用付箋であって、
細長い帯状であって、その裏面のうち長手方向の一側部を糊代に形成するとともに、
その表面を、長手方向の一端部と、この一端部と残りの部分とを視覚的に区分して、
上記一端部を除く残り部分を、予定の内容を書き込むための主スペースとし、当該一端部を、当該予定の所要時間を表すことに適した補助スペースとしたことを特徴とする、予定書き込み用付箋。
【発明の詳細な説明】
【技術分野】
【０００１】
本発明は、スケジュール管理用プレート、特にコンピュータのディスプレイ装置（以下ディスプレイという）のフレームへの装着に適したスケジュール管理用プレート、及び予定書き込み用付箋に関する。
【背景技術】
【０００２】
曜日欄とスケジュール記入欄とを一対一に対応させたスケジュール表を、手帳・黒板にしたものはよく知られている（特許文献１、特許文献２）。
またそうしたスケジュール表を帯状のスケジュール板として、枠体内に取り外し可能に収納したスケジュールボードも提案されている（特許文献３）。
【０００３】
しかしながら、スケジュール管理では、スケジュールが埋まった後で追加の予定が発生し、その予定を所定日に割り込ませるために、所定日以降の予定を順送りに繰り越さなければならないということがよくある。こうした場合に表に予定を書き込む形式であると、予定日以降の日のスケジュールをいちいち書き換えなければならず、面倒である。
【０００４】
これに対して、カレンダー様式の暦情報を表す表に、各日に関する一定のテーマに則った情報（特にゴミリサイクルの情報）を表す予め用意したシールを貼付するようにしたスケジュール表も知られている（特許文献４）。
【特許文献１】特開２００６−３４６８９２号
【特許文献２】特開２００７−２９８７３０号
【特許文献３】特開平１０−２３６０７９号
【特許文献４】実用新案登録第３０６８０００
【発明の開示】
【発明が解決しようとする課題】
【０００５】
特許文献４のスケジュール表は、取り扱いに便利であるが、これを適用するためにある程度のスペースを必要とし、設置場所が限られていた。
他方、近年では仕事場や家庭でパーソナル・コンピュータを使って作業をすることが多い。本出願人は、そのコンピュータ・ディスプレイのフレームに、予定を書き込んだ付箋を張り付けておくことで、仕事をしながら一目で予定を把握できるスケジュール管理術を提唱している。しかしながら、ディスプレイのフレームの表面は、もともとそうした用途を想定していないので、特定の時間帯を区分する仕切りがなく、予定の時刻と無関係に付箋を張り付けておくと、スケジュール表として十分に用をなさない。また、ディスプレイの表面仕上げとして、微細な凹凸を有する梨地仕上げとなっている場合があり、これだと付箋が容易にはがれ落ちてしまう。
尚、出願人の提唱する上述のスケジュール管理術は、予定の把握が容易なだけでなく、スケジュール中の各予定の実行時間を見積もり、仕事の進行状況とスケジュールとを照会しながら必要に応じて作業の緩急を図り、一日（又は一週間）が終わってスケジュールを消化できなかったときには問題点を自省するというものである。それによりスケジュール管理の意識を高めることができる。他方、特許文献４のスケジュール表用のシールは、単に各曜日に出すべきゴミの種類などを印刷し、所定の日に貼り付けるものに過ぎず（段落００１１）、上記のスケジュール管理術とは無関係である。
本発明の第１の目的は、主としてコンピュータ・ディスプレイのフレームに装着することが可能なスケジュール管理用プレートであって、その上に付箋の貼付が容易なものを提案することである。
本発明の第２の目的は、スケジュール管理用プレートであって適宜分断し、再び組み合わせることで、利用者の都合のよい時間から開始されるスケジュール表として利用できるものを提案することである。
本発明の第３の目的は、一枚のスケジュール管理用プレートであって、２種類の異なるスケジュール表として利用できるものを提案することである。
本発明の第４の目的は、スケジュール管理用プレート内に占める各予定の予定時間を好適に表示することが可能な予定書き込み用付箋を提供することである。
【課題を解決するための手段】
【０００６】
第１の手段は、
コンピュータ・ディスプレイのフレームへの装着に適した全体として細長い形であり、かつ全体として柔軟な材料で形成されたスケジュール管理用プレートであって、
上記フレームの一辺の表面への装着用の細長い基板部２の裏面４を粘着面に、表面６を付箋貼着用のフラット面にそれぞれ形成し、
この基板部２の表面６を長手方向に等間隔に区分して、任意の単位時間を表す時間帯表示ゾーン８としたことを特徴としている。
【０００７】
本手段では、コンピュータ・ディスプレイへの装着用のスケジュール管理用プレートの基板部の表面を、複数の時間帯表示ゾーンに区分することを提案している。ディスプレイの表面のわずかなスペースを利用するので場所をとらず、かつコンピュータのディスプレイに装着するから、予定の確認に手間がかからない。装着場所としては、上記フレームが適しているが、必ずしもこれに限定される訳ではない。本手段を使用すると、所定長さの時間を表す時間帯表示ゾーンに予定を書き込んだ付箋を着脱することで、スケジュール管理に対する意識が高まる。
【０００８】
「基板部」は、フレームなどへの取り付けの基部であり、裏面の少なくとも一部を粘着面としている。また基板部の表面は、凹凸のないフラット面としている。凹凸があると付箋を付着させたときに付着箇所に空気が侵入し、付箋がはがれ易くなるからである。
【０００９】
「時間帯表示ゾーン」は、たとえば一日スケジュールでは一時間、週間スケジュールでは一日のような任意の単位時間を表している。時間軸方向（スケジュール管理プレートの長手方向）の時間帯表示ゾーンの巾は、後述の付箋の略整数倍とすることが望ましい。そうすることで、各時間帯表示ゾーンの内の付箋の貼付場所により、例えばＡＭ１１時台の前半部に貼った付箋は、ＡＭ１１時〜１１時３０分の間の予定を、また同後半部に貼った付箋は、ＡＭ１１時３０分から１２時までの予定をそれぞれ表すというような使い方が可能となる。そうではない使い方については付箋の欄で述べる。時間帯表示ゾーンは視覚的に区別できるように区分されている。各時間帯表示ゾーンには、時間目盛を付することが望ましい。
【００１０】
「コンピュータ・ディスプレイのフレームへの装着に適した」という文言は、コンピュータ・ディスプレイのフレームへの取り付けが支障なく行える形態（形状・サイズ）であれば良いという程度の意味である。用途がコンピュータ・ディスプレイのフレームへの装着に限られるという意味ではない。ディスク周りでは、ディスプレイの他に、卓上の蛍光灯の細長い笠の部分や本棚の台座の部分などに取り付けてもよい。家庭用では、台所など毎日使用する場所の適所（食器棚などのフレームなど）に貼り付けておいて、一日のスケジュールを確認するようにしてもよい。自動車の中では、運転席の操縦パネルの適所に貼り付けておけば、車をよく利用するビジネスマンやドライバーにとっては使い勝手がよい。
第２の手段は、第１の手段を有し、かつ
上記各時間帯表示ゾーン８を、巾方向に対して基板部２の長手方向に長い長方形状とし、
さらに上記表面の巾方向一側部を、時間表示を記載する表示代ｄ１を、またこの一側部を除く表面部分を、付箋貼付代ｄ２としたことを特徴としている。
【００１１】
本手段では、基板部の好適な構成を提案している。時間帯表示ゾーンは、スケジュール管理用プレートの長手方向へ長い長方形としている。そうすると一つの時間帯表示ゾーンに複数の付箋を貼付することが容易となり、スケジュールの組み立てが簡単に行えるからである。各長方形は、スケジュール管理用プレートの巾方向に対して２倍以上の長さとすることが望ましい。基板部の表面のうち、ディスプレイ画像寄りの一側部は時間表示代とし、残りの部分を付箋貼付代とするとよい。通常の視力の人が抵抗感なく読める文字の大きさを考慮すると、時間表示代として最低３ｍｍ程度が必要であり、また市販の付箋を貼り付けるためにはやはり３ｍｍ程度の貼付代が必要である。そうすると基板部の巾は６ｍｍ以上とすることが望ましい。他方、市販のコンピュータ・ディスプレイのフレームの巾は通常１５ｍｍ以下であるので、基板部もそれを超えない長さとすることがよい。
第３の手段は、第２の手段を有し、かつ
全体としてカッターなどの切断具で切断可能な軟材質で形成され、
かつ上記時間帯表示ゾーンの境界を区画する区分線に沿って切断することが可能に形成し，さらに各時間帯表示ゾーンに１〜１２までの任意の一連の数字で表す時間目盛１２を付し、
さらにまた基板部２の裏面の粘着面を被着面への着脱自在としている。
本手段では、スケジュール管理用プレートを切断可能な材質とするとともに、時間目盛として１〜１２までの任意の一連の数字である時間目盛を付することを提案している。「任意の」とは、数列の始まりと終わりの数は任意ということである。好適な一例として、８・９・１０・１１・１２・１・２・３・４・５・６・７という目盛をふる。勤務時間が午前９時から午後５時までであれば、早出や残業を考慮してもその範囲で大抵スケジュールが収まるからである。仮に終業時間近くになって午後７時以降まで残業が発生したときには、例えば１２時及び１時の時間帯表示ゾーンの間の境目を切断してスケジュール管理用プレートを２つの切片に分割し、フレーム上での各切片の位置を入れ替える。そうすると、１・２・３・４・５・６・７・８・９・１０・１１・１２という並びになって午後７時以降の残業時間のスケジュールを組むことができる。ここでは午前のＮ時と午後のＮ時とを区別せずに表示することがポイントである（Ｎは任意の数とする。以下同じ）。
第４の手段は、第２の手段又は第３の手段を有し、かつ
上記基板部２の側辺から、表面を付箋貼着用のフラット面とした補助板部２０を側外方へ突設し、
この補助板部２０の表面を、長手方向に等間隔に区分して、任意の単位時間を表す時間帯表示ゾーン８としている。
【００１２】
本手段では、基板部から側外方（巾方向）へ補助板部を突出し、基板部に一日スケジュールを、補助板部に週間スケジュールをたてることができるようにしている。基板部と補助板部との違いは、補助板部の裏面には粘着面を形成する必要がないこと、及び両板部の表面に異なるスケジュール用の時間帯表示ゾーンを形成することである。基板部と補助板部との間にフレーム側面への付着用の粘着面を裏面に有する中間板部を介在させてもよい。
【００１３】
第５の手段は、
第１の手段から第４の手段のスケジュール管理用プレートへの貼着用として適した予定書き込み用付箋であって、
細長い帯状であって、その裏面のうち長手方向の一側部を糊代に形成するとともに、
その表面を、長手方向の一端部と、この一端部と残りの部分とを視覚的に区分して、
上記一端部を除く残り部分を、予定の内容を書き込むための主スペースとし、当該一端部を、当該予定の所要時間を表すことに適した補助スペースとしている。
【００１４】
本手段では、上記スケジュール管理プレートとともに使用することが特に好適な予定書き込み用付箋を提案している。本発明では、スケジュール管理プレートの長手方向の長さによって、一日の勤務時間、一週間の期間などの管理すべき対象時間を表し、また、付箋の対応方向の巾によって、対象時間のうち各予定が占める時間帯を表している。付箋は一日スケジュールの場合には、仮に巾ｄの３０分用のもの、巾２ａの１時間用のものなど、比較的短い時間に対応する巾のものとすることが望ましい。しかしながら、一日のスケジュールの中では、１時間半、２時間などのように長く時間のかかる予定が発生することがよくある。こうした長いスケジュールに対応して巾長の付箋を予め用意するとすれば、コスト高となり、また見た目も冗長である。そこで本手段では、付箋の一部に予定の所要時間を書き込むための補助スペースを採った。所要時間は、開始時間（及び終了時間）で表示しても、単純に時間の長さで表示してもよい。補助スペースは、裏面の糊代と同じ側に形成してもよいが、好適な実施例では糊代と反対側に形成している。これについては後述する。
【発明の効果】
【００１５】
第１の手段に係る発明によれば、コンピュータ用ディスプレイ画面のフレームのように作業中に目に入り易い箇所に取り付けできるから、利用し易い。
第２の手段に係る発明によれば、次の効果を奏する。
○各時間帯を板材の長手方向に長い長方形としたから、一つの時間帯に複数の付箋を貼付することに適しており、きめ細かいスケジュールを立てることができる。
○時間表示代と貼付代とをそれぞれとったから、各時間帯の長手方向に亘って限度一杯付箋を貼っても時間表示が隠れることがない。
第３の手段によれば、次の効果を奏する。
○巾方向に板材を切断可能としたから、例えば一日のスケジュール管理プレートのうち自分が必要とする時間範囲に対応する部分を切り取って使うことができる。
○各時間帯に時間表示を付したから、例えば一日のスケジュール管理プレートのうち所要の時間帯が最初に来るように、スケジュール管理プレートを切り分け、配置しなおすことができる。
【００１６】
第４の手段に係る発明によれば、基板部２の側辺から補助板部２０を側外方に突出したから、例えば基板部２に一日のスケジュールを、補助板部２０に週間スケジュールを記載した付箋をそれぞれ貼付することができ、都合がよい。
【００１７】
第５の手段に係る発明によれば、次の効果を奏する。
○予定の所要時間を表すのに適した補助スペース付きの付箋を提供したから、所要時間が長い予定でも無理なくスケジュールに組み込むことができる。
○予め所要時間を予測して付箋に書き込むことで、時間管理に対する意識を向上させることができる。
【発明を実施するための最良の形態】
【００１８】
図１から図５は、本発明の第１実施形態に係るスケジュール管理用プレート１を示している。本実施形態のスケジュール管理用プレート１は、コンピュータ・ディスプレイのフレームＦ前面への装着用の基板部２として形成されている。
【００１９】
基板部２は、フレームＦの一辺に対応する細長い形状を有する。基板部２の裏面４はフレームＦへの着脱自在な粘着面としており、基板部２の表面６は、区分線１０によって長手方向に適数の等長の時間帯表示ゾーン８に区分されている。
【００２０】
各時間帯表示ゾーン８は、スケジュール管理用プレートの長手方向に長い長方形状である。各時間帯表示ゾーンの長辺方向に亘って複数の付箋を貼付し易いようにするためである。例えば長辺の長さとして、市販の付箋の短辺２つ分の長さを確保することができれば、Ｎ時に相当する時間帯表示ゾーンの前半部にＮ時００分〜Ｎ時３０分までの予定の付箋を、後半部にはＮ時３０分〜（Ｎ＋１）時までの予定の付箋をそれぞれ貼付することができる。これら時間帯表示ゾーンは、図１に想像線で分割しているように、付箋貼付代ｄ１と、時間表示代ｄ２とで構成され、後者には時間目盛１２が記載されている。  図２の右半部に示すように１時間単位の一日スケジュール用のプレート１Ａとしてもよいが、同左半部に示すように、日・月・火・水・木・金・土のような週間スケジュール用のプレート１Ｂとしてもよい。一日スケジュールの場合において、必須ではないが、時間目盛は、午前中のＮ時刻（図示例では８時）から午前１２時まで及び午後１時から午後の（Ｎ−１）までの一連の数字とすることが好ましい。好適な使用例として、ある一日（図示例では火曜日）の予定を表す付箋を、図２の右半部のように、もともとのスケジュール管理用プレートがもともと表す時間帯（午前Ｎ時から午後（Ｎ−１）時）までの該当箇所に貼り付ける。他方、それらの時間帯に収まらない予定の付箋は週間スケジュールの当日欄に一時的に仮止めしておく。また一つの予定の時間が超過したために処理できなくなった別の予定があれば、図２に想像線で示す如く一日スケジュールのプレートから週間スケジュールのプレート１Ｂの当日欄に移動する。そして午後（Ｎ−１）時が経過したときに、例えば１０時の時間帯表示ゾーンと１１時の時間表示ゾーンとの間でプレートをＮ時〜１０時までの前半分と、１１時から（Ｎ−１）時までの後半分とに切り離し、前半分から午前中の予定の付箋をはがし、さらに前半分と後半分とをフレームからはがして、図３に示すように場所を入れ替えて再度貼付する。こうして週間スケジュールの当日欄に貼付していた付箋を、午後Ｎ時以降の時間帯に対応する時間帯表示ゾーンに貼付する。こうすることで最大午後１０時までスケジュールを再び組み立てることができる。一日の予定を全て完了した後は付箋をはがし、プレートの前半部と後半部との順序を基に戻す。そうして図１と同様に新たに使用することができる。
このような使い方を推奨する理由は次の通りである。例えば手帳の一頁としてスケジュール表を作るときには必要により２４時間のスケジュール表を簡単に作ることができる。しかし本発明のスケジュール管理用プレート１は、主としてコンピュータ・ディスレイのフレームへの装着用として、また付箋を貼付することで使用するものとして設計されているので、その大きさに制約がある。まず、フレームに貼着するという制約上からプレートの長さはフレームの一辺よりも短くなくてはならない。仮にフレームの一辺の長さが１８ｃｍ程度とすると、１２時間分（１２個）の時間帯表示ゾーンのそれぞれの長さは１５ｍｍ程度となる。この長さは市販の付箋のなかでも巾狭のタイプの約２倍程度であり、少なくともこの程度の長さは確保することが望ましい。従って本発明のスケジュール管理用プレートでは、通常のサイズのパーソナル・コンピュータに使用するときには、時間帯表示ゾーンの数は多くても１２個程度が好適である。そこで１２時間分の時間帯表示ゾーンを最大で２４時間用として使用できるようにするために本実施形態の構成を提案している。
なお、スケジュール管理用プレートの構造ではないが、本出願人は、３０分用のものとして巾１１ｍｍ及び長さ４５ｍｍのものを、また、６０分用のものとして巾２２ｍｍ及び長さ４５ｍｍのものを試作し、使用感の良さを確認した。
【００２１】
図４に示すように、本発明のスケジュール管理用プレート１は、上面に時間目盛や時間帯表示ゾーンを印刷した柔軟な基層１４と、その印刷部分を保護する透明層１６と、基層の下面を覆う粘着層１８とで形成することができる。透明層はたとえばポリプロピレンで形成することができる。粘着層１８は、図５に示すような梨地仕上げのフレームＦの粗面（説明の都合上凹凸を誇張して描いている）にも確実に粘着するように形成する。
またこのスケジュール管理用プレートは、全体として柔軟な材料で形成されている。そうすることで、フレームF に貼付したスケジュール管理用プレート１の一端部を摘んで容易に剥がすことができる。
上記構成によれば、コンピュータ・ディスプレイなどのフレームに本願のスケジュール管理用プレートを貼付し、このスケジュール管理用プレートの上に予定を書いた付箋やメモ用紙を貼り付けておくことで、一定の時間又は期間内のスケジュールを組み立てることができる。しかも仕事をしながら自然にそれらの予定が目に入るので、忙しいときでも予定を忘れるおそれを減らすことができる。黒板などの各曜日・各時間帯の欄にスケジュールを書き込むときには、追加の予定が割り込むときには、既に書いた予定を変更後の曜日・時間帯の欄に書き直さなければならないが、本発明のスケジュール管理用プレートでは、付箋を付け替えるだけでよいので、利便性が向上する。しかも、その付箋は一般に販売されている既存の付箋でもよいので、汎用性も高い。
以下本発明の他の実施形態を説明する。これらの説明において第１実施形態と同じ構成については同一符号を付することで説明を省略する。
図６から図８は、本発明の第２の実施形態に係るスケジュール管理用プレート１を示している。この実施形態では、図６に示すように基板部２の長辺から、基板部と同じ長さの補助板部２０を巾方向に突出している。図７に示すように補助板部の表面にも時間帯表示ゾーン８を形成する。基板部２の時間帯表示ゾーンに関する説明は、補助板部の時間帯表示ゾーン８に援用する。但し図６に示すように基板部のスケジュールを一日スケジュールとすれば、補助板部２０のスケジュールを週間スケジュールとするという如く、種類の異なるスケジュール表を形成することが望ましい。補助板部２０の裏面には粘着層を形成する必要がない。
図８は、この実施形態のスケジュール管理用プレートの使用例である。補助板部に貼り付けられた周間の予定を表す付箋は、基板部に貼り付けられた一日の予定を表す付箋の陰になって読みにくいが、問題とはならない。周間スケジュール欄は、後日の予定が生じる度に付箋に書き留め、その日まで仮止めをするためのものだからである。周間スケジュールと、一日スケジュールとを同時に確認したいときには、図３に示す如くディスプレイの左右両辺に一日スケジュール用及び周間スケジュール用のプレートを別々に貼付するとよい。
上記のような使用態様から、時間表示の文字が正しい向きに表示された状態で、コンピュータ画面寄りの位置にある基板部２には、短期間のスケジュール表（例えば一日スケジュール）を記載するとよい。そしてコンピュータ画面から遠い方の位置にある補助板部２０には、長期間のスケジュール表（例えば周間スケジュール）をそれぞれ形成するとよい。
【００２２】
図９から図１１は、本発明の第３の実施形態を示している。この実施形態では、基板部２と補助板部２０との間に中間板部２４を形成している。基板部２及び中間板部２４の間の縁と、中間板部２４及び補助板部２０の間の縁とに、第１折り目線２６を形成している。また中間板部２４の裏面には粘着層１８が形成されており、中間板部２４をフレームの側外面に、かつ基板部２をフレームＦ前面にそれぞれ貼着することができるように形成している。また基板部２と中間板部２４と補助板部２０との長手方向の両端からそれぞれ一つの連結片２８、２８を延長している。これら連結片２８のうち補助板部２０と接する縁からは、長手方向に２本の第２折り目線３０を形成している。第１折り目線２６，２６同士の距離と、第２折り目線３０、３０同士の距離とは等しい。図１０左側の粘着層１８は上下の連結片２８側まで延長している。また、中間板部２４及び補助板部２０と連結片２８との縁のうち、第１折り目線同士の間、第１、第２折り目線の間、及び第２折り目線同士の間の部分には、一つのスリット３２を穿設している。このようにすることで、図１１に示すように基板部２及び中間板部２４を折り曲げてフレームＦの前面及び側面に貼着させたときに、連結片２８が中間板部２４及び補助板部２０の一部から分離して、補助板部２０を基板部２に対して平行な状態に保持することができる。本実施形態では、補助板部２０を基板部より一段下がった位置で固定するために付箋を貼着させ易く、かつ斜めから見ると、各板部に貼着した付箋を見やすいというメリットがある。
図１２から図１４は、本発明の第４の実施形態を示している。この実施形態では、基板部２であるスケジュール管理用プレートに、粘着層の代わりに、両面に粘着面を有する連結シート（いわゆる両面テープ）３４を付設している。連結シートと連結シート以外のプレート部分（プレート本体という）とを分離できるようにしている。この連結シートは、プレート本体側の粘着面３８ａよりもフレーム側の粘着面３８ｂの方が粘着力が強くなるように形成している。このため、スケジュール管理用プレート１をフレームに貼り付けた後に、プレート本体を摘んで引っ張ると、連結シートをフレームＦに残して、基層１４と透明層基板部２だけが外れる。自分のオフィス以外の場所でスケジュール表を使うときにプレート本体だけを取り外してスケジュールの確認などのために持ち運ぶことができる。
図１５から図１９は、本発明に係る予定書き込み用付箋を表している。この付箋は、図示の例では横長長方形の帯状である。この付箋は、裏面の一側部に糊代５２を形成している。表面のうち糊代と反対側の端部は、予定の所要時間を記入するための補助スペース５４とし、表面の残りの部分は予定の内容を書き込むための主スペース５６としている。主スペース５６と補助スペース５４とは視覚により区別することができるように構成する。図示例では、図１６に示すように補助スペースは、ボックスの中にコロン（：）を印刷しているが、その構造は適宜変更することができる。好適な一例として、図示の付箋が３０分用の巾のものであって、例えば２時間分の予定がきたとしても、図１８に示すように所要時間として２：００と補助スペース５４内に書き込み、スケジュール管理プレートのうち開始時間該当箇所に貼り付ければ、スケジュールを組み立てることができる。補助スペース５４は、糊代５２と同じ側の付箋端部に形成することもできる。もっとも付箋は図１８の下半に示すように時間が経過すると湿気を含むなどして曲ってくるものである。このため、密集した状態では糊代と反対側の端部は付箋同士が重なったりして見にくくなることがある。上記の補助スペース５４は、付箋本来の巾に対応する時間より長い予定が入ったときに使用するものであるから、図１８下半のように付箋相互が密集している状態で使用することは少ない。従ってこの状態で補助スペース同士が重なっていても構わない。補助スペースを糊代側に配置することで、予定を記載した主スペース５６を糊代側に位置させることができる。糊代側では、付箋が曲ることで相互が重なることがないので、主スペースに記載した予定を確実に表示することができる。
図１９は、図１５の付箋の集合物の変形例であり、各付箋の補助スペースに予定の所要時間の書き込みスペースの他、予定の優先順位の書き込みスペース５８を設けている。図示例では、Ａ、Ｂ、Ｃの文字が記載され、各文字の何れかに印を記載する。こうすることで後でスケジュールを組みなおすときに優先順位の高いものから順番にスケジュールを立てることが容易となる。
【図面の簡単な説明】
【００２３】
【図１】本発明の第1の実施形態に係るスケジュール管理用プレートの正面図を示している。
【図２】同実施形態のスケジュール管理用プレートの使用例を示している。
【図３】図２の使用例の一の使用形態を示している。
【図４】図１のスケジュール管理用プレートの要部の斜視図を示している。
【図５】図１のスケジュール管理用プレートの要部縦断面図を示している。
【図６】本発明の第２の実施形態に係るスケジュール管理用プレートの要部縦断面図を示している。
【図７】図６のスケジュール管理用プレートの正面図を示している。
【図８】図６のスケジュール管理用プレートの使用例を示している。
【図９】本発明の第３の実施形態に係るスケジュール管理用プレートの正面図を示している。
【図１０】図９のスケジュール管理用プレートの裏面図を示している。
【図１１】図９のスケジュール管理用プレートの使用例を示している。
【図１２】本発明の第４の実施形態に係るスケジュール管理用プレートの要部縦断面図を示している。
【図１３】図１２のスケジュール管理用プレートの分離状態を示している。
【図１４】図１２のスケジュール管理用プレートの使用状態を示している。
【図１５】本発明の実施形態に係る予定書き込み用付箋の集合物の平面図である。
【図１６】図１５の付箋単体の平面図である。
【図１７】図１６の付箋の変形例の平面図である。
【図１８】図１５の付箋の使用例の説明図である。
【図１９】図１５の付箋のさらに他の実施例である。
【符号の説明】
【００２４】
１…スケジュール管理用プレート  ２…基板部
４…裏面  ６…表面  ８…時間帯表示ゾーン  １０…区分線
１２…時間目盛  １４…基層  １６…透明層  １８…粘着層
２０…補助板部  ２４…中間板部  ２６…第１折り目線
２８…連結片  ３０…第２折り目線  ３２…スリット
３４…連結シート  ３６…プレート本体  ３８ａ、３８ｂ…粘着面
５０…付箋  ５２…糊代  ５４…補助スペース  ５６…主スペース
５８…優先順位記入欄
Ｆ…フレーム
【図１】
2010036526.tif 000003
【図２】
2010036526.tif 000004
【図３】
2010036526.tif 000005
【図４】
2010036526.tif 000006
【図５】
2010036526.tif 000007
【図６】
2010036526.tif 000008
【図７】
2010036526.tif 000009
【図８】
2010036526.tif 000010
【図９】
2010036526.tif 000011
【図１０】
2010036526.tif 000012
【図１１】
2010036526.tif 000013
【図１２】
2010036526.tif 000014
【図１３】
2010036526.tif 000015
【図１４】
2010036526.tif 000016
【図１５】
2010036526.tif 000017
【図１６】
2010036526.tif 000018
【図１７】
2010036526.tif 000019
【図１８】
2010036526.tif 000020
【図１９】
2010036526.tif 000021